(57)【要約】【課題】汎用プリンタと携帯電話との間を接続し、Ｅメールを携帯電話から直接プリントするインターネット対応携帯電話用プリンタアダプタを得る。【解決手段】Ｅメール一覧から選択したメールをメール記憶領域から外部機器に転送させるための転送トリガ信号を携帯電話２の制御部に供給する印刷トリガボタン１１と、携帯電話２の外部機器接続ポート４及びプリンタポート８Ａに接続可能な接続ケーブル７，１０と、マイクロコンピュータ５を内蔵したアダプタ本体３とを具え、組み込みＲＯＭ又は着脱式記憶媒体１４に、メールをプリンタ制御コマンド信号に変換する変換手段と、印刷トリガボタン１１が操作されるとき転送トリガ信号によりＥメール送受信メモリ領域から転送された選択メールを変換手段によりプリンタ制御信号に変換し、プリンタポート８Ａからプリンタ８の制御部に伝送する制御プログラムを格納し、ＣＰＵで動作させる。【選択図】　　　　図１
2004062697.tif 000002
【特許請求の範囲】
【請求項１】
インターネット対応携帯電話におけるＥメールをプリントするためプリンタと前記携帯電話との間を接続するインターネット対応携帯電話用プリンタアダプタにおいて、
携帯電話Ｅメール一覧から選択したメールを前記携帯電話のメール記憶領域から前記外部機器接続ポートを経て外部機器に転送させるための転送トリガ信号を前記携帯電話の制御部に供給する印刷トリガ手段と、
前記携帯電話の外部機器接続ポートをプリンタの制御部に接続可能な伝送手段と、
転送された選択メールをプリンタ制御コマンド信号に変換する変換手段と、
前記印刷トリガ手段が操作されるとき、前記転送トリガ信号を前記携帯電話の制御部に供給し、Ｅメール送受信メモリ領域から転送された選択メールを前記変換手段を動作させてプリンタ制御コマンド信号に変換し、前記伝送手段により前記携帯電話の外部機器接続ポートから前記プリンタの制御部に伝送する制御プログラム手段と、
この制御プログラム手段を動作させる制御手段と
を具えた
ことを特徴とするインターネット対応携帯電話用プリンタアダプタ。
【請求項２】
前記インターネット対応携帯電話用プリンタアダプタを、
前記携帯電話に外付けするマイクロコンピュータ内蔵のアダプタ本体と、
前記アダプタ本体に設けた前記マイクロコンピュータの入力部に接続しかつ前記携帯電話の外部機器接続ポートに接続可能な入力ポートを有する第１伝送手段と、
前記アダプタ本体に設けた前記マイクロコンピュータの出力部に接続しかつプリンタの制御部に接続可能な第２伝送手段と、
前記印刷トリガ手段として前記アダプタ本体に設けた印刷トリガボタンと、
選択されたメールをプリンタ制御コマンド信号に変換する前記変換手段として前記マイクロコンピュータのＲＯＭ又はマイクロコンピュータに接続可能な記憶媒体に格納した変換プログラムと、
前記マイクロコンピュータのＲＯＭ又はマイクロコンピュータに接続可能な記憶媒体に格納した制御プログラムであって、前記印刷トリガボタンが操作されるとき、前記制御手段としてのマイクロコンピュータのＣＰＵによって、前記転送トリガ信号を前記携帯電話の制御部に供給し、Ｅメール送受信メモリ領域から選択メールを前記第１伝送手段を介して前記マイクロコンピュータのＲＡＭに読み出し、前記変換プログラムによりプリンタ制御コマンド信号に変換し、前記第２伝送手段を介して前記プリンタの制御部に伝送するよう制御を行う制御プログラムと
によって構成した請求項１記載のインターネット対応携帯電話用プリンタアダプタ。
【請求項３】
前記アダプタ本体には、更に、前記携帯電話を制御して、インターネット上の特定の業務Ｗｅｂサイトにアクセスさせるアクセストリガ信号を発生させるアクセストリガボタンを設け、前記マイクロコンピュータのＲＯＭ又はマイクロコンピュータに接続可能な記憶媒体には、前記アクセストリガボタンが操作されたとき前記アクセストリガ信号を前記携帯電話の制御部に供給し、前記携帯電話を制御して前記業務ＷｅｂサイトのＵＲＬにアクセスさせるアクセス制御プログラムを格納した請求項２記載のインターネット対応携帯電話用プリンタアダプタ。
【請求項４】
前記アダプタの前記伝送手段は、携帯電話の外部機器接続ポート又はプリンタポートの利用可能な形態に対応する形態、即ち、ケーブルによる有線接続形態、又は赤外線、電波等による無線接続形態、又はその双方を有するものとして構成した請求項１乃至３のうちのいずれか一項に記載のインターネット対応携帯電話用プリンタアダプタ。
【請求項５】
前記インターネット対応携帯電話がアプリケーションソフトウェア追加可能な携帯電話であるとき、少なくとも前記伝送手段を除いて、前記各種の機能実現手段のうちの少なくとも一つをこの携帯電話のアプリケーション記憶領域に格納するアプリケーションプログラムにより構成し、このアプリケーションプログラムを動作させる前記制御手段を前記携帯電話のＣＰＵとした請求項１記載のインターネット対応携帯電話用プリンタアダプタ。
【請求項６】
前記制御プログラム手段は、前記印刷トリガ手段が操作されたとき、メールのヘッダー、タイトル、又は本文のいずれか一つのメール部位のみを参照し、この参照メール部位に特定文字列があり、かつ未印刷の受信メールを選別して自動的に印刷する制御を行うよう構成した請求項１乃至５のうちのいずれか一項に記載のインターネット対応携帯電話用プリンタアダプタ。
【請求項７】
前記制御プログラム手段は、前記印刷トリガ手段が操作されたとき、メールのヘッダー、タイトル、又は本文のいずれか一つのメール部位のみを参照し、この参照メール部位に特定文字列があり、かつ未開封又は開封の受信メールを選別して自動的に印刷する制御を行うよう構成した請求項１乃至５のうちのいずれか一項に記載のインターネット対応携帯電話用プリンタアダプタ。
【請求項８】
前記制御プログラム手段は、印刷済み受信メール又は未印刷受信メールのいずれか一方に削除禁止の保護属性を自動的に付与し、前記印刷トリガ手段が動作するとき、前記保護属性の有無で印刷すべき未印刷受信メールの選択を行う構成とした請求項６記載のインターネット対応携帯電話用プリンタアダプタ。
【請求項９】
前記制御プログラム手段は、前記印刷トリガ手段が操作されたとき、ヘッダー情報のみを対象に前記特定文字列を検索するものとした請求項６乃至８のうちのいずれか一項に記載のインターネット対応携帯電話用プリンタアダプタ。
【請求項１０】
印刷すべき受信メールの選択の判断基準となる特定文字列を、送信元のメールアドレスとした請求項９記載のインターネット対応携帯電話用プリンタアダプタ。
【請求項１１】
印刷すべき受信メールの選択の判断基準となる特定文字列を、送信元がタイトル又は本文のメール部位に付与した所定文字列とした請求項６乃至８のうちのいずれか一項に記載のインターネット対応携帯電話用プリンタアダプタ。
【請求項１２】
前記制御プログラム手段は、受信メールのボリュームが大きくて分割配信された一連の複数個の分割メールが印刷すべきメールである場合、これら複数個の分割メールを１つの受信メールに結合して印刷するプリント制御コマンド信号を生成する構成とした請求項１乃至１１記載のインターネット対応携帯電話用プリンタアダプタ。
【請求項１３】
前記制御プログラム手段は、印刷すべき受信メールに対してヘッダー文字列及びフッター文字列を付加するプリント制御コマンド信号を自動的に生成する構成とし、前記ヘッダー文字列には受信した携帯電話の電話番号を含む文字列を印刷するものとした請求項１乃至１２記載のインターネット対応携帯電話用プリンタアダプタ。
【請求項１４】
前記制御プログラム手段は、プリンタアダプタに関するエラーに対応したエラーメッセージを印刷するプリント制御コマンド信号を生成する構成とした請求項１乃至１３記載のインターネット対応携帯電話用プリンタアダプタ。
【請求項１５】
前記制御プログラム手段は、初回に前記アクセストリガボタンが操作されたとき、携帯電話を前記業務ＷｅｂサイトのＵＲＬにアクセスさせるとともに、前記業務Ｗｅｂサイトにおけるユーザー登録のための情報を自動的に送信する制御を行う構成とした請求項３記載のインターネット対応携帯電話用プリンタアダプタ。
【発明の詳細な説明】
【０００１】
【発明の属する技術分野】
本発明は、インターネット対応携帯電話におけるＥメール（電子メール）をプリントするためプリンタと携帯電話との間を接続するインターネット対応携帯電話用プリンタアダプタに関するものである。
【０００２】
【従来の技術】
従来、携帯電話は音声通話が主体であり、補助的な簡易文面の携帯電話メールをプリントするという発想は存在しなかった。また、受信メールは、意識的に削除したり、蓄積容量をオーバーしない限り、携帯電話のメモリ領域に保存され、いつでも随意に読み出すことができ、更に、削除禁止の対象に設定した場合、この受信メールに保護属性が付与され、受信メール一覧には、例えば、『鍵』マーク等のアイコンが表示されるようになり、この設定を解除しない限り、永久保存されるので、一般ユーザーにとっては、わざわざプリンタを購入する必要性を感じるほどのものではなかった。
【０００３】
一方、デジタルカメラ付きの特定機種の携帯電話では、画像を印刷するのに特化した専用画像プリンタを接続して画像をプリントするものがあったが、特定機種のこの携帯電話しかこの画像プリンタを接続できず、携帯電話のメールをプリントするものは存在しなかった。また、従来、携帯電話のＥメールをプリントすることが必要であれば、専用のソフトウェアをセットアップしたパソコンに一旦に取り込むことによってプリントすることは可能であり、わざわざ携帯電話から直接プリントするまでもなかった。
【０００４】
【発明が解決しようとする課題】
しかし、インターネット対応携帯電話では、Ｗｅｂブラウザ機能が充実してきており、従って、単なる音声連絡のみならず、携帯情報端末として業務全般に積極的に活用する業種が増えてきている。特に、特定Ｗｅｂサイトに注文を発注しようとする流通業者は、特別な携帯端末や、パソコンを使用することなく、安価かつ機動性及び汎用性のある携帯電話のブラウザ機能を利用してインターネット注文をするようになれば、設備費、ランニングコスト等の大幅な削減が期待できる。
【０００５】
通常、Ｗｅｂサイトで注文すると、このＷｅｂサイトは発注元のメールアドレスに注文確認のための注文明細をメールで送信する。この確認メールにより変更がなければ受発注契約が成立し、受注Ｗｅｂサイトを運営する事業者は、注文された品物を発注元に納品する。
【０００６】
しかし、発注元が多品種を大量に取り扱う流通業者である場合、携帯電話の受信メールに保存されている注文明細を携帯電話のディスプレイを見ながら納品された注文品目及び個数の照合確認をするのは、ディスプレイが小さいので一覧性に乏しく不便である。更に、多数のＷｅｂサイトに、またそれぞれ多数回にわたり発注をかける場合、確認メールの受信の数が多くなり、蓄積容量をオーバーする恐れがある。蓄積容量をオーバーすると、古いメール順に携帯電話のメモリ領域から自動的に消滅することになる。このときは、確認メールを参照しながら、実際に納品された注文品目及び個数を照合することができなくなってしまう。
【０００７】
発注管理者にとって注文明細と実際の納品物品との照合がし易く、また、受信メール数が多くなって経時的に古い注文明細の確認メールの履歴が消滅し、従って、照合できなくなるという事態を回避するには、納品受取現場で携帯電話の確認メールをプリントできれば都合がよい。流通業者でなくとも、携帯電話のＥメールをプリントできれば都合がいい業種及び局面は多々存在する。
【０００８】
また、携帯情報端末やモバイルＰＣが支給されない営業マンが紙の伝票等に記載して集めたデータは、帰社後にパソコンに一括入力するバッチ処理を行わざるを得ず、社内サーバに対する受発注の入力及びプリントに関してはリアルタイム性に欠けるきらいがあった。しかし、今や営業マンの９割が所有していると言われている携帯電話、特に、インターネット対応携帯電話のＷｅｂブラウザ機能及びＥメール機能を利用すれば、必要性を感じたときに受注Ｗｅｂサイトに対してリアルタイムの発注及び社内サーバへのリアルタイム入力ができるようになり、また出先で超小型汎用プリンタを直接携帯電話に接続してＥメールのプリントができるようになれば、極めて便利となる。
【０００９】
従って、本発明の目的は、高価な携帯情報端末やモバイルＰＣを別途支給することなく、インターネット対応の携帯電話を業務に活用し、特に、パソコンや、特別な携帯電話メール読込みソフトウェアを介在させることなく携帯電話のＥメールを直接プリントするため、汎用プリンタ、好適には、超小型で安価な既存のプリンタと携帯電話との間を接続するインターネット対応携帯電話用プリンタアダプタを得るにある。特に、インターネット対応携帯電話を利用した確認Ｅメールでの大量の発注管理が簡単にできるようにするためのインターネット対応携帯電話用プリンタアダプタを得るにある。
【００１０】
【課題を解決するための手段】
この目的を達成するため、本発明は、インターネット対応携帯電話におけるＥメールをプリントするためプリンタと前記携帯電話との間を接続するインターネット対応携帯電話用プリンタアダプタにおいて、
携帯電話Ｅメール一覧から選択したメールを前記携帯電話のメール記憶領域から前記外部機器接続ポートを経て外部機器に転送させるための転送トリガ信号を前記携帯電話の制御部に供給する印刷トリガ手段と、
前記携帯電話の外部機器接続ポートをプリンタの制御部に接続可能な伝送手段と、
転送された選択メールをプリンタ制御コマンド信号に変換する変換手段と、
前記印刷トリガ手段が操作されるとき、前記転送トリガ信号を前記携帯電話の制御部に供給し、Ｅメール送受信メモリ領域から転送された選択メールを前記変換手段を動作させてプリンタ制御コマンド信号に変換し、前記伝送手段により前記携帯電話の外部機器接続ポートから前記プリンタの制御部に伝送する制御プログラム手段と、
この制御プログラム手段を動作させる制御手段と
を具えた
ことを特徴とする。
【００１１】
本発明によれば、携帯電話の送信及び受信のそれぞれのＥメール一覧から、印刷すべきメールを選択した後、メールを印刷トリガ手段を操作することにより、携帯電話のメール保存メモリ領域から選択したメールを読み出し、変換手段によってプリンタ制御コマンド信号に変換し、印刷データとして携帯電話の外部機器接続ポートから伝送手段を介して直接プリンタの制御部に伝送し、プリンタ制御コマンド信号に基づいてプリンタによりプリントアウトする。
【００１２】
本発明インターネット対応携帯電話用プリンタアダプタの好適な実施例によれば、
前記携帯電話に外付けするマイクロコンピュータ内蔵のアダプタ本体と、
前記アダプタ本体に設けた前記マイクロコンピュータの入力部に接続しかつ前記携帯電話の外部機器接続ポートに接続可能な入力ポートを有する第１伝送手段と、
前記アダプタ本体に設けた前記マイクロコンピュータの出力部に接続しかつプリンタの制御部に接続可能な第２伝送手段と、
前記印刷トリガ手段として前記アダプタ本体に設けた印刷トリガボタンと、
選択されたメールをプリンタ制御コマンド信号に変換する前記変換手段として前記マイクロコンピュータのＲＯＭ又はマイクロコンピュータに接続可能な記憶媒体に格納した変換プログラムと、
前記マイクロコンピュータのＲＯＭ又はマイクロコンピュータに接続可能な記憶媒体に格納した制御プログラムであって、前記印刷トリガボタンに対する操作があったとき、前記制御手段としてのマイクロコンピュータのＣＰＵによって、前記転送トリガ信号を前記携帯電話の制御部に供給し、Ｅメール送受信メモリ領域から選択メールを前記第１伝送手段を介して前記マイクロコンピュータのＲＡＭに読み出し、前記変換プログラムによりプリンタ制御コマンド信号に変換し、前記第２伝送手段を介して前記プリンタの制御部に伝送する制御プログラムとにより構成する。
【００１３】
本発明インターネット対応携帯電話用プリンタアダプタの他の好適な実施例によれば、インターネット対応携帯電話がアプリケーションソフトウェア追加可能な携帯電話であるとき、少なくとも前記伝送手段を除いて、前記各種の機能実現手段のうちの少なくとも一つをこの携帯電話のアプリケーション記憶領域に格納するアプリケーションプログラムにより構成し、このアプリケーションプログラムを動作させる前記制御手段を前記携帯電話のＣＰＵとする。
【００１４】
【発明の実施の形態】
次に、図面につき本発明の好適な実施の形態を示す。
【００１５】
図１に示す好適な実施の形態ではインターネット対応携帯電話用のプリンタアダプタ１は、携帯電話２に外付けするマイクロコンピュータ内蔵のアダプタ本体３を有する。このアダプタ本体３には、携帯電話２の外部機器接続ポート４に接続可能であるとともにマイクロコンピュータ５の入力部に接続した入力ポート６を有する第１伝送手段としての携帯電話接続ケーブル７を設ける。
【００１６】
更に、アダプタ本体３には、マイクロコンピュータ５の出力部に接続しかつプリンタ８のプリンタポート８Ａに接続可能な出力ポート９を有する第２伝送手段としてのプリンタ接続ケーブル１０を設ける。プリンタポート８Ａはプリンタの側面に露出させず、プリンタ内部の制御部（プリント回路基板）から直接アダプタ本体３までプリンタ接続ケーブル１０が延びる形式、又はアダプタ本体３自体をプリンタ８に内蔵させる形式にすることもできる。
【００１７】
プリンタアダプタ１の伝送手段としての携帯電話接続ケーブル７、及びプリンタ接続ケーブル１０は、携帯電話２の外部機器接続ポート４又はプリンタポート８Ａの利用可能な形態に対応する形態とする。例えば、図示の実施の形態のようなケーブルによる有線接続形態、又は赤外線、電波等の無線による接続形態の少なくとも一方の形態の入力ポート６及び出力ポート９を設ける。
【００１８】
図示の実施の形態の場合、入力ポート６は、携帯電話２の外部機器接続ポート４がケーブル接続用のポートであるため、これに適合するコネクタ形状とした。一方、出力ポート９の場合、プリンタポートＡ８がパラレル、シリアル、又はＵＳＢのいずれかのケーブル接続の場合、これに適合するコネクタ形状とすることは勿論である。
【００１９】
アダプタ本体３には、更に、印刷トリガ手段としての印刷トリガボタン１１を設ける。この印刷トリガボタン１１が操作されるとき、携帯電話Ｅメール一覧から手動でカーソル選択した送受信メール、又は設定した所定の文字列を含むことで自動的に選択されるメールを携帯電話２のメール保存メモリ領域から外部機器接続ポート４を経てマイクロコンピュータ５の入力部に転送させるための転送トリガ信号を携帯電話２の制御部に送る。
【００２０】
マイクロコンピュータ５に接続したメモリ手段、例えば、組み込みＲＯＭ又は着脱式記憶媒体１４には、転送された選択メールをプリンタ制御コマンド信号に変換する変換手段としての変換プログラムを格納する。更に、マイクロコンピュータ５に接続した組み込みＲＯＭ又は着脱式記憶媒体には、プリンタ制御コマンド信号をプリンタポートに伝送する制御プログラムを格納する。
【００２１】
この制御プログラムは、印刷トリガボタン１１に対する操作があったとき、マイクロコンピュータ５のＣＰＵによって、転送トリガ信号を携帯電話２の制御部に供給し、Ｅメール送受信メモリ領域から選択したメールを携帯電話接続ケーブル（第１伝送手段）７を介してマイクロコンピュータ５のＲＡＭに読み出し、変換プログラムによりプリンタ制御コマンド信号に変換し、プリンタ接続ケーブル（第２伝送手段）１０を介してプリンタポート８Ａに伝送するよう動作する。プリンタ８の制御部は伝送されたプリンタ制御コマンド信号に基づいてＥメールの文字列をプリントする。
【００２２】
また、制御プログラムは、メールのボリュームが大きくて分割配信された一連の複数個の分割メールが印刷すべきメールである場合、これら複数個の分割メールを１つの受信メールに結合して印刷するようプリント制御コマンド信号を生成する構成とすると好適である。
【００２３】
更にまた、アダプタ本体３には、携帯電話２を制御して、インターネット上の特定の業務Ｗｅｂサイトにアクセスさせるアクセストリガ信号を発生させるためのアクセストリガボタン１２を設け、マイクロコンピュータに接続したメモリ手段、例えば、組み込みＲＯＭ又は着脱式記憶媒体には、業務ＷｅｂサイトのＵＲＬ情報と、アクセストリガボタン１２が操作されたとき携帯電話を制御してこのＵＲＬにアクセスさせるアクセス制御プログラムを格納すると好適である。
【００２４】
この場合、制御プログラムは、初回にアクセストリガボタン１２を操作したとき、携帯電話を制御して業務ＷｅｂサイトのＵＲＬにアクセスさせるとともに、この業務Ｗｅｂサイトにおけるユーザー登録のための情報を自動的に送信する制御を行うよう動作するものとすると好適である。
【００２５】
本発明の好適な実施の形態において、制御プログラム手段は、印刷トリガ手段としての印刷トリガボタン１１が操作されるとき、メール保存記憶領域における受信メールのヘッダー、タイトル、又は本文のいずれか一つのメール部位のみを参照し、この参照メール部位に特定文字列があり、かつ未印刷又は未開封（若しくは開封済み）の受信メールを選別して自動的に印刷する制御を行うよう構成する。例えば、印刷トリガボタン１１が操作されるとき、ヘッダー情報のみを対象にして、印刷すべき受信メールの選択の判断基準となる特定文字列として特定送信元のメールアドレスがある受信メールを自動的に印刷するようにすると好適である。若しくは、印刷すべき受信メールの選択の判断基準となる特定文字列を、送信元がタイトル又は本文のメール部位に付与した所定文字列とすることもできる。
【００２６】
また、制御プログラム手段は、印刷を行った後印刷済み受信メールに又は新着で未印刷受信メールに削除禁止の保護属性を付与し、次に印刷トリガボタン１１が動作するとき、保護属性の有無で次回に印刷すべき未印刷受信メールを自動的に選択を行う構成とすると好適である。
【００２７】
自動的に選択される印刷すべき受信メールの場合、制御プログラムは、印刷すべき受信メールに対してヘッダー文字列及びフッター文字列を付加するプリント制御コマンド信号を自動的に生成し、ヘッダー文字列には受信した携帯電話の電話番号を含む文字列を印刷する構成とすると好適である。例えば、本文の前に
「０９０１２３４５６７８　さん
ご注文ありがとうございます。」
という受信した携帯電話の電話番号を含む文字列を印刷し、また本文の後に
「発送予定日：２０ｙＹ年ｍＭ月ｄＤ日
またのご注文をスタッフ一同心より
お待ちしております。ＡＢＣ（株）」
という文字列を印刷する。
【００２８】
更に、制御プログラムは、プリンタアダプタに対応していない携帯電話を接続したり、プリンタアダプタの接続不良、プリンタアダプタのバッテリ残量不足のようなプリンタアダプタに関するエラーに対応したエラーメッセージを印刷するプリント制御コマンド信号を生成する構成とすると好適である。
【００２９】
【実施例】
図１の実施の形態では、本発明インターネット対応携帯電話用プリンタアダプタは、有体のアダプタ本体３を有するものとして構成したが、インターネット対応携帯電話がアプリケーションソフトウェア追加可能な携帯電話であるとき、図２に示すように、少なくとも伝送手段としての接続ケーブル１３を除いて、印刷トリガ手段、変換手段、制御プログラム手段等の各種機能実現手段のうちの少なくとも一つをアプリケーションソフトウェアとして構成することもできる（携帯電話のアプリケーション記憶領域に格納する制御プログラムとして構成したインターネット対応携帯電話用プリンタアダプタの実施例）。この場合、アプリケーションソフトウェアとして構成したプリンタアダプタを動作させる制御手段は、携帯電話２自体の制御部（ＣＰＵ）である。
【００３０】
【発明の効果】
本発明インターネット対応携帯電話用プリンタアダプタによれば、高価な携帯情報端末やモバイルＰＣを別途手配することなく、インターネット対応の携帯電話を業務に活用でき、パソコンや、特別な携帯電話メール読込みソフトウェアを介在させることなく、汎用プリンタ、好適には、超小型で安価な既存のプリンタから携帯電話Ｅメールを直接プリントすることができ、従って、例えば、受注Ｗｅｂサイトに対する発注者にとって、受注確認Ｅメールでの納品照合が極めて容易になる。
【図面の簡単な説明】
【図１】本発明の好適な実施の形態としてのインターネット対応携帯電話用プリンタアダプタの線図的説明図である。
【図２】本発明の好適な実施例としてのインターネット対応携帯電話用プリンタアダプタの線図的説明図である。
【符号の説明】
１　インターネット対応携帯電話用のプリンタアダプタ
２　携帯電話
３　アダプタ本体
４　外部機器接続ポート
５　マイクロコンピュータ
６　入力ポート
７　携帯電話接続ケーブル
８　プリンタ
８Ａ　プリンタポート
９　出力ポート
１０　プリンタ接続ケーブル
１１　印刷トリガボタン
１２　アクセストリガボタン
１３　接続ケーブル
１４　着脱式記憶媒体
【図１】
2004062697.tif 000003
【図２】
2004062697.tif 000004